(57)【要約】      （修正有）【解決手段】ランドセル本体２の背板３上部中央に取付けた背環本体１２内に、左右対称で互いに中央方向にばね２２で付勢させた一対の可動アーム１５を枢動可能に収容し、該可動アームの上方に設けた連結軸部１８に、該連結軸部の周面と摺動する案内壁部３５と、該案内壁部の下側で前記連結軸部の底面に当接係止する掛止部３７と、上部中央に背負いベルト５の一端を取付けるベルト軸４０と、該ベルト軸の上部に基部側が幅厚で先端方向を薄厚に形成した可撓性を有する芯板部４１をそれぞれ一体に形成したベルト連結体３１を連結軸４５で枢動可能に連結し、前記ベルト連結体３１の背板方向への傾倒角度を、芯板部４１がほぼ垂直方向の上向きに位置したときに係止する。【効果】ランドセル１の上方が背中から離れたりすることなく肩にフィットさせて疲れを防止することができ、且つ、背負いベルト５をランドセル本体２方向に回動可能に形成したことにより、ランドセル１の収納時または運搬時にコンパクトにまとめることができる。【選択図】図８
0003113435.tif 000002
【実用新案登録請求の範囲】
【請求項１】
ランドセル本体（２）の背板（３）上部中央に取付けた背環本体（１２）内に、左右対称で互いに中央方向にばね（２２）で付勢させた一対の可動アーム（１５）を枢動可能に収容し、該可動アームの上方に設けたネック部（１７）を介して一体に取付けた連結軸部（１８）に、該連結軸部の周面と摺動する案内壁部（３５）と、該案内壁部の下側で前記連結軸部（１８）の底部（２０）に当接係止する掛止部（３７）と、上部中央に背負いベルト（５）の一端を取付けるベルト軸（４０）と、該ベルト軸の上部に基部側が幅厚で先端方向を薄厚に形成した可撓性を有する芯板部（４１）をそれぞれ一体に形成したベルト連結体（３１）を連結軸（４５）で枢動可能に連結し、前記ベルト連結体（３１）の背板方向への傾倒角度は、芯板部（４１）がほぼ垂直方向の上向きに位置したとき、前記連結軸部（１８）の底部（２０）に掛止部（３７）が当接係止するように形成したことを特徴とするランドセル用背環。
【請求項２】
前記ベルト連結体（３１）が、一対の側枠片（３２）の下部中央に前記連結軸部（１８）の軸孔（１９）と合致する孔（３３）を設け、該側枠片と側枠片との間に前記連結軸部（１８）の外周面を摺動する曲面部（３６）を有する案内壁部（３５）と、該案内壁部の下方に前記連結軸部（１８）の底部（２０）と当接係止する掛止部（３７）を連設し、前記側枠片（３２）の上方中央に背負いベルト（５）の一端を取付けるベルト軸（４０）と、該ベルト軸の上部で基部側を幅厚で先端方向を薄厚に形成した可撓性を有する芯板部（４１）を一体に形成し、該芯板部の表面全体に複数の孔（４２）を設けたことを特徴とする特徴とする前記請求項１記載のランドセル用背環。
【請求項３】
前記ベルト連結体（３１）が、一対の側枠片（３２）の下部中央に前記連結軸部（１８）の軸孔（１９）と合致する孔（３３）を設け、該側枠片と側枠片との間に前記連結軸部（１８）の外周面を摺動する曲面部（３６）を有する案内壁部（３５）と、該案内壁部の下方で前記連結軸部（１８）の底部（２０）と当接係止する掛止部（３７）を連設すると共に、該掛止部（３７）の短辺側の一方を斜めに切り欠いた切断部（３８）を形成し、前記側枠片（３２）の上方中央に背負いベルト（５）の一端を取付けるベルト軸（４０）と、該ベルト軸の上部で基部側を幅厚で先端方向を薄厚に形成した可撓性を有する芯板部（４１）を一体で外方向に湾曲させて形成し、該芯板部の表面全体に複数の孔（４２）を設けたことを特徴とする前記請求項１記載のランドセル用背環。
【考案の詳細な説明】
【技術分野】
【０００１】
本考案は、ランドセルの背負いベルトの上端を背板に取付ける背環の改良に関する。
【背景技術】
【０００２】
従来から使用されているランドセル用の背負いベルトを取付ける背環には多種多様なものが使用されており、その代表的な背環の一例として図１１に示すような背環６０が有る。この背環６０は、ランドセル１の使用者が高学年になって背丈が伸びた場合にもスムースにランドセル１を背負うことができるように、背環６０の可動アーム６３をランドセル１の幅方向で扇状に移動可能に形成して背負いベルト５の連結支点の幅を広げることにより、背負いベルト５の輪内に腕をスムースに挿通させることができるようにしてある。
【０００３】
前記背環６０を取付けたランドセル１は、背負いベルトが新しく型崩れしないうちは図１３に示すごとく、ランドセル１に取付けた背負いベルト５が肩の形状に合わせて湾曲するので、ランドセル１の背板３が背中側に密着して背負いやすく疲れない。しかし、背負いベルト５が経年変化して型崩れしてくるとランドセル１は、図１４に示すごとくランドセル１の重さで背負いベルト５がランドセル方向に引っ張られて下方に移動すると共にランドセル１の上方の背板３が背中から離れて反り返ってしまうのでランドセル１が重く感じて背負ったときの安定感に欠け背負いにくく疲れやすい。
【０００４】
また、背負いベルト５が経年変化により型崩れした場合でもランドセル１の背負い位置が下がるのを防止するため図１２に示すごとく、背環７０の揺動アーム７１に取付けたベルト取付環７７を一定角度以上回転するのを防止することにより、背負いベルトに一定の湾曲角度を維持させてランドセルが背中から離れるのを防止してランドセルを背負ったときに重く感じることなく安定して背負うことができるようにしたものが知られている。（例えば、特許文献１参照）。
【特許文献１】特許第３５２４５４７号
【考案の開示】
【考案が解決しようとする課題】
【０００５】
前記した背環７０は、揺動アーム７１の上端に取付けた挿通部７２の両端に設けた保持部７３と溝部７４（回転規制部）とに支持させて取付環７７の回転角度を規制することにより行なっている。そのため、取付環７７は一定角度で上方を向いたまま前後いずれの方向にも回動することが出来ないため、取付環７７に連結した背負いベルトの先端部分がランドセル本体方向に湾曲しにくくランドセルの収納時や運搬時に背負いベルトの収納が困難である。
【０００６】
さらには、挿通部７２の一端に、取付環７７の回転規制用の保持部７３を上方に突出して形成してあるため、揺動アーム７１が左右方向に枢動したとき邪魔となるので使用しづらいなどの多くの問題点がある。
【課題を解決するための手段】
【０００７】
そこで本考案は、ランドセル本体２の背板３上部中央に取付けた背環本体１２内に、左右対称で互いに中央方向にばね２２で付勢させた一対の可動アーム１５を枢動可能に収容し、該可動アームの上方に設けたネック部１７を介して一体に取付けた連結軸部１８に、該連結軸部の周面を摺動する案内壁部３５と、該案内壁部の下側で前記連結軸部１８の底部２０に当接係止する掛止部３７と、上部中央に背負いベルト５の一端を取付けるベルト軸４０と、該ベルト軸の上部に基部側が幅厚で先端方向を薄厚に形成した可撓性を有する芯板部４１をそれぞれ一体に形成したベルト連結体３１を連結軸４５で枢動可能に連結し、前記ベルト連結体３１の背板方向への傾倒角度は、芯板部４１がほぼ垂直方向の上向きに位置したときに、前記連結軸部１８の底部２０に掛止部３７が当接係止するように形成したことを特徴とする。また、前記ベルト連結体３１が、一対の側枠片３２の下部中央に前記連結軸部１８の軸孔１９と合致する孔３３を設け、該側枠片と側枠片との間に前記連結軸部１８の外周面を摺動する曲面部３６を有する案内壁部３５と、該案内壁部の下方に前記連結軸部１８の底部２０と当接係止する掛止部３７を連設し、前記側枠片３２の上方中央に背負いベルト５の一端を取付けるベルト軸４０と、該ベルト軸の上部で基部側を幅厚で先端方向を薄厚に形成した可撓性を有する芯板部４１を一体に形成し、該芯板部の表面全体に複数の孔４２を設けたことを特徴とする。さらには、前記ベルト連結体３１が、一対の側枠片３２）の下部中央に前記連結軸部１８の軸孔１９と合致する孔３３を設け、該側枠片と側枠片との間に前記連結軸部１８の外周面を摺動する曲面部３６を有する案内壁部３５と、該案内壁部の下方で前記連結軸部１８の底部２０と当接係止する掛止部３７を連設し、該掛止部３７の短辺側の一方を斜めに切り欠いた切断部３８を形成し、前記側枠片３２の上方中央に背負いベルト５の一端を取付けるベルト軸４０と、該ベルト軸の上部で基部側を幅厚で先端方向を薄厚に形成した可撓性を有する芯板部４１を一体で外方向に湾曲させて形成し、該芯板部の表面全体に複数の孔４２を設けたことを特徴とする。
【０００８】
したがって、背負いベルト５が経年変化により型崩れしてもランドセル１を背負ったときに可動アーム１５に連結したベルト連結体３１の傾倒角度を規制して芯板部４１を上向き状態に維持させて背負いベルトの上方をいつまでも湾曲状態を維持させることができるので、ランドセル１の上方が背中から離れたりすることなく肩にフィットさせて疲れを防止することができ、且つ、背負いベルト５をランドセル本体２方向に回動可能に形成したことにより、ランドセル１の収納時または運搬時にコンパクトにまとめることができる。
【考案を実施するための最良の形態】
【０００９】
本考案の実施の形態を図面により説明すると、図１は背環に背負いベルトを取付けた使用状態を示すランドセルの正面図、図２は背環に背負いベルトを取付けた状態の要部拡大正面図、図３は背環を構成するベルト連結体の正面図、図４はベルト連結体の底面図、図５はベルト連結体に設けた掛止部の他の実施例を示す底面図、図６は図３のＡ―Ａ断面図、図７は蓋板を外した背環の要部断面図、図８は連結軸部に連結したベルト連結体の芯板部が垂直方向に位置した状態を示す要部拡大断面図、図９はベルト連結体がランドセル本体方向に回転した状態を示す要部拡大断面図、図１０はランドセルを背負ったときの背負いベルトの湾曲状態を示す要部拡大断面図である。本考案に係る背環１１は、図１、２に示すごとく、ランドセル本体２の背板３上部中央に取付けた背環本体１２内に、左右対称で互いに中央方向にばね２２で付勢させた一対の可動アーム１５を枢動可能に収容し、前記背環本体１２の上方から突出させた連結軸部１８に背負いベルト５の一端を連結するベルト連結体３１をそれぞれ連結軸４５で枢動可能に連結してある。
【００１０】
図７に示すごとく、可動アーム１５は、それぞれ硬質合成樹脂材により左右対称に形成され、前記背環本体１２のアーム室１３内に位置するアーム本体１６と、該アーム本体の上方中央よりに設けたネック部１７と、該ネック部の上方でアーム室１３内から突出させた連結軸部１８をそれぞれ一体に形成してある。
【００１１】
前記可動アーム１５は、アーム本体１６を前記背環本体１２のアーム室１３内にそれぞれ左右対称に位置させ、支持軸２３によって枢動可能に軸支するとともに、ばね２２で互いに中央方向に付勢させ、該アーム本体が最も中央寄りで連結軸部１８が水平位置に移動したときに停止する位置にストッパー２５をそれぞれ取付けてある。
【００１２】
前記連結軸部１８は、全体を円柱状で軸心方向に軸孔１９を設け、該連結軸部の背面側に前記ネック部１７の上端を一体に取付けると共に底面に前記ベルト連結体３１の掛止部３７が係止する底部２０を形成してある。なお、前記背環本体１２のアーム室１３の前面には、該アーム室を覆う蓋板２７を被せ、中央上部にはランドセルを机の側面やランドセル掛けに引っ掛ける掛止環２８を取付けてある。
【００１３】
前記ベルト連結体３１は図３から６に示すごとく、全体を合成樹脂材、好ましくは形状記憶樹脂材で形成され、一対の側枠部３２の下方中央に前記連結軸部１８の軸孔１９と合致する孔３３を設け、ベルト連結体３１の正面側で側枠部３２と側枠部３２との間に案内壁部３５を一体に形成し、該案内壁部の内面には、前記連結軸部１８の外周面と当接摺動する湾曲した曲面部３６を設けてある。
【００１４】
３７は前記側枠部３２と側枠部３２との間の底面に設けた掛止部で、図４に示すごとく、掛止部３７の一方の長辺を前記案内壁部３５の下端と一体に形成すると共に、短辺両端を前記側枠部３２とそれぞれ一体に形成し、前記ベルト連結体３１が背板方向へ傾倒したとき、該掛止部の内面が前記連結軸部１８の底部２０に当接係止し、ベルト連結体３１が背板方向へ一定角度以上に傾倒するのを防止している。
【００１５】
掛止部３７の両端を側枠片３２に、長辺を案内壁部３５にそれぞれ一体の３点で強固に支持させたことにより、ベルト連結体３１の芯板部４１が背板方向に湾曲したときの反発力で掛止部３７が折れたり曲がったりするのを防止することができる。
【００１６】
また、前記可動アーム１５の左右動が大きい場合は、図５に示すごとく、前記掛止部３７の短辺一方を側枠部３２と一体に形成し、他方を斜めに切り欠いて切断部３８を設け、前記可動アーム１５がそれぞれ左右方向で扇状に広がったとき、掛止部３７の外側下辺が、前記背環本体１２の上端に当たるのを防止し、可動アーム１５がスムースに左右動するようにしてもよい。
【００１７】
４０は前記側枠部３２と側枠部３２との間の上方中央に一体に形成したベルト軸で、該ベルト軸の上方にベルト軸４０側を幅厚で先端方向を薄厚に形成した可撓性を有する芯板部４１をそれぞれ前記背負いベルトの形状に合わせて外方向に湾曲させて一体に形成し、該芯板部の表面には複数の孔４２を設けてある。
【００１８】
４５は連結軸で、前記可動アーム１５の連結軸部１８に設けた軸孔１９と、ベルト連結体３１の孔４２とに挿通し、前記ベルト連結体３１を枢動可能に連結してある。
【００１９】
以下、本考案の実施形態の作用について説明すると、ランドセル１の背板２上部中央に取付ける背環１１は、可動アーム１５の連結軸部１８にベルト連結体３１の案内枠部３５が背板側に位置するように連結軸４５で枢動可能に連結して形成し、このベルト連結体３１の芯板部４１にそれぞれ背負いベルト５の一端を連結する。
【００２０】
背負いベルト５は、中央に位置した中芯６とクッション材７の表裏にそれぞれ皮革または合成皮革からなる表地８と裏地９を縫着して４層に形成したものや、中央に位置した中芯とクッション材を兼ねた芯地部の表裏にそれぞれ皮革または合成皮革からなる表地と裏地を縫着した三層のものなどがあり、例えば図１０に示すごとく、４層に形成した背負いベルト５を連結する場合、背負いベルト５の表地８の一端をベルト連結体３１の表側から案内枠部３５とベルト軸部４０との間に挿通して折り返して裏地９に重ねると共に、ベルト軸部４０に連設した芯板部４１を背負いベルト５の中芯６とクッション材７との間、または表地さらには裏地との間に挿通し、前記芯板部４１、中芯６、表地８および裏地９の重なった部分を鋲１０で止めて固定する。
【００２１】
さらに前記背負いベルト５は、先端をベルト連結体３１のベルト軸部４０で折り返して芯板部４１に鋲１０で固定してあるため、背負いベルト５は単独では回動せず、ベルト連結体３１と一体に回動する。ベルト連結体３１の回動方向は、案内枠部３５がランドセル本体方向には取付けてないので、図９に示すごとく、垂直方向からランドセル本体方向へは自由に回動するが、背板方向へは芯板部４１が垂直の上向きに位置すると、図８に示すごとく、掛止部３７の内面と連結軸部１８の底部２０が当接して回動が停止する。
【００２２】
したがって、背負いベルト５はランドセル本体２方向に自由に回動できるため、ランドセルを収納するときや、搬送するときには従来のランドセルと同様に、背負いベルト５をランドセル本体２の蓋板側に沿ってまわすことによりコンパクトにすることができるので収納、搬送に便利である。
【００２３】
次いで、ランドセル１を背負う場合、背環１１のベルト連結体３１に一端を連結した背負いベルト５の下端をランドセル本体２の下面に取付けた端尺ベルトに連結して背負い環を形成し、該背負い環にそれぞれ腕を通して肩に背負って使用する。
【００２４】
ランドセル１を背負うと、ランドセル本体２の重みでベルト連結体３１は案内枠部３５の曲面部３６が連結軸部１８の周面を摺動して回動すると共に、芯板部４１が垂直方向からやや背板側に位置すると、案内枠部３５に連設した掛止部３７の内面と連結軸部１８の底部２０が当接してベルト連結体３１の背板側への回動が停止する。前記ベルト連結体３１が停止した位置が、芯板部４１の垂直方向で上向きの位置である。この芯板部４１の上向き角度は背板３と平行な垂直方向でもよいが、やや内側（背負う人側）に傾斜した角度（１６０度から１７０度）が好ましい。
【００２５】
図８、１０に示すごとく、ベルト連結体３１の芯板部４１が背中方向に反り返った際の掛止部３７への負荷荷重は、ランドセルの中身が重いほど負荷が大きくなる。そのため、芯板部４１が湾曲したときの負荷で掛止部３７の接続部分が割れたり外れたりする強度不足を防止するため、掛止部３７の長辺を案内枠部３５と、短辺両側を側枠部３２にそれぞれ３点で一体に形成することにより強度を持たせ、且つ、芯板部４１が一定角度以上背板方向に傾倒するのを防止している。
【００２６】
前記芯板部４１は、背負いベルト５の形状の合わせて平面形状をベルト軸４０の上方から外方向へやや湾曲させて形成し、その長さはベルト軸部４０の軸心から４ｃｍから６ｃｍ、好ましくは５ｃｍの長さに形成し、全体の厚さは軸方向を厚く先端方向を薄く形成すると共に、表面全体に複数の孔を設けたことにより、芯板部４１が撓んだときに折れにくくすると共に綺麗なアール曲線を描くようにしてある。したがって、芯板部４１は背負いベルト５の形状の合わせて無理なく取付けることができる。
【００２７】
さらに、ベルト連結体３１に連結された背負いベルト５は、経年変化によって型崩れしても、芯板部４１の垂直方向への長さと、形状記憶樹脂材で形成した弾発力によっていつまでも肩の形に合わせて湾曲形状に撓ませることができる。したがって、図１３に示すごとく、いつまでもランドセル１の背板３を背中側にフィットさせて背負うことができるので、ランドセル１を長時間背負っても疲れることなく快適に背負うことができる。
【００２８】
さらにはまた、掛止部３７の一方の短辺をベルト連結体３１の側枠部３２に連結し、他辺を斜めに切り欠いた切断部３８を設けることにより、可動アーム１５が左右方向に開いたときベルト連結体３１の下端が背環本体１２の上端に当たるのを防止し、可動アーム１５がスムースに左右動させることができる。
【図面の簡単な説明】
【００２９】
【図１】ランドセルの背板に背環を取付けた使用状態を示す正面図である。
【図２】背環ベルト連結体に背負いベルトを連結した状態の要部拡大正面図である。
【図３】背環を構成するベルト連結体の正面図である。
【図４】ベルト連結体の底面図である。
【図５】ベルト連結体に設けた掛止部の他の実施例を示す底面図である。
【図６】図３のＡ―Ａ断面図である。
【図７】背環の蓋板を外した要部拡大断面図である。
【図８】連結軸部に連結したベルト連結体の芯板部が垂直方向に位置した状態を示す要部拡大断面図である。
【図９】ベルト連結体をランドセル方向に回転させた状態を示す要部拡大断面図面である。
【図１０】ランドセルを背負ったときの背負いベルトの湾曲状態を示す要部拡大断面図である。
【図１１】従来の背環の第１実施例を示す正面図である。
【図１２】従来の背環の第２実施例を示す正面図である。
【図１３】本考案に係るランドセルを背負って背中と背板がフィットした状態を示した説明図である。
【図１４】従来のランドセルを背負って、背板の上方が開いた状態を示した説明図である。
【符号の説明】
【００３０】
１    ランドセル
２    ランドセル本体
３    背板
４    蓋板
５    背負いベルト
６    中芯
７    クッション芯
８    表地
９    裏地  
１１    背環
１２    背環本体
１３    アーム室
１５    可動アーム
１６    アーム本体
１７    ネック部
１８    連結軸部
１９    軸孔
２０    係止受部
２２    ばね
２３    支持軸
２５    ストッパー
２７    蓋板
２８    掛止環
３１    ベルト連結体
３２    側枠部
３３    孔
３５    案内枠部
３６    曲面部
３７    掛止部
３８    切断部
４０    ベルト軸部
４１    芯板部
４２    孔
４５    連結軸
【図１】
0003113435.tif 000003
【図２】
0003113435.tif 000004
【図３】
0003113435.tif 000005
【図４】
0003113435.tif 000006
【図５】
0003113435.tif 000007
【図６】
0003113435.tif 000008
【図７】
0003113435.tif 000009
【図８】
0003113435.tif 000010
【図９】
0003113435.tif 000011
【図１０】
0003113435.tif 000012
【図１１】
0003113435.tif 000013
【図１２】
0003113435.tif 000014
【図１３】
0003113435.tif 000015
【図１４】
0003113435.tif 000016